Podtech/llm-jp-corpus-v4-ja_patent huggingface dataset:
(57)【要約】本発明は、ＡＣモータのＳＴＡＴＯＲに２ｎ個のＷｉｎｄｉｎｇ  Ｓｌｏｔと、２ｎ個の誘導分極スリット（Ｉｎｄｕｃｅｄ  Ｐｏｌａｒｉｚａｔｉｏｎ  Ｓｌｉｔ）とを構成し、ｎ個のＳｌｏｔにのみＤｉｓｔｒｉｂｕｔｅｄ  ＷｉｎｄｉｎｇしてＳＴＡＴＯＲを構成して通電（Ｉｎ−ｐｕｔ）すると、Ｗｉｎｄｉｎｇ  Ｓｌｏｔの両方の界磁面が誘導分極され、起磁力（Ｍａｇｎｅｔｏｍｏｔｉｖｅ  Ｆｏｒｃｅ）は倍加（ｄｏｕｂｌｉｎｇ）され、ＲＯＴＯＲは起動・回転することとなり、このとき、回転方向は、Ｆｌｅｍｉｎｇ  Ｌｅｆｔ  Ｈａｎｄ  Ｒｕｌｅによって決定され、効率を極大化した誘導分極ＡＣモータに関する。
2018504878.tif 000002
【特許請求の範囲】
【請求項１】
誘導分極ＡＣモータのＳＴＡＴＯＲを構成するにあたって、ケイ素鋼板を積層したコアに２ｎ個のＷｉｎｄｉｎｇ  Ｓｌｏｔを構成し、各Ｗｉｎｄｉｎｇ  Ｓｌｏｔの中間に２ｎ個の誘導分極スリット（Ｉｎｄｕｃｅｄ  Ｐｏｌａｒｉｚａｔｉｏｎ  Ｓｌｉｔ；Ｈｏｒｓｅ−Ｓｈｏｅ  Ｍａｇｎｅｔ  Ｐｏｌａｒｉｚａｔｉｏｎ  Ｓｌｉｔ）を構成して、２ｎ個のＷｉｎｄｉｎｇ  Ｓｌｏｔのうちｎ個のＳｌｏｔにのみ分布巻線（Ｄｉｓｔｒｉｂｕｔｅｄ  Ｗｉｎｄｉｎｇ）して固定子を構成し、ＳＴＡＴＯＲに通電（Ｉｎ−ｐｕｔ）すると、Ｗｉｎｄｉｎｇ  Ｓｌｏｔの両方の界磁面は誘導分極され、起磁力（Ｍａｇｎｅｔｏｍｏｔｉｖｅ  Ｆｏｒｃｅ）を倍加（ｄｏｕｂｌｉｎｇ）させて、ＲＯＴＯＲは起動・回転することとなり、回転方向は、Ｆｌｅｍｉｎｇ  Ｌｅｆｔ  Ｈａｎｄ  Ｒｕｌｅによって決定されるように構成されることを特徴とする、誘導分極ＡＣモータ。
【発明の詳細な説明】
【技術分野】
【０００１】
本発明は、誘導分極（Ｉｎｄｕｃｅｄ  Ｐｏｌａｒｉｚａｔｉｏｎ；Ｈｏｒｓｅ−Ｓｈｏｅ  Ｍａｇｎｅｔ  Ｐｏｌａｒｉｚａｔｉｏｎ）でＡＣモータの効率を向上させたものであり、さらに詳細には、２ｎ個の巻線スロット（Ｗｉｎｄｉｎｇ  Ｓｌｏｔ）と、２ｎ個の誘導分極スリット（Ｉｎｄｕｃｅｄ  Ｐｏｌａｒｉｚａｔｉｏｎ  Ｓｌｉｔ）とを構成し、２ｎ個の巻線スロットのうちｎ個のスロットにのみ分布巻線（Ｄｉｓｔｒｉｂｕｔｅｄ  Ｗｉｎｄｉｎｇ）し、巻線されたスロットの両方面の磁界面を分極スリットにより分極して起磁力（Ｍａｇｎｅｔｏｍｏｔｉｖｅ  Ｆｏｒｃｅ）を倍加（ｄｏｕｂｌｉｎｇ）させてモータ効率を向上させた誘導分極ＡＣモータに関するものである。
【背景技術】
【０００２】
２１世紀の物理学が解決すべき全世界的な課題の一つは、「エネルギー問題」である。
現在、ＡＣモータが用いられている電気エネルギーは、全体電気エネルギーの５０％以上である。
ＡＣモータの効率を画期的に向上できる新しく画期的な技術が開発されれば、エネルギー問題の解決策の一役となり得る。
【発明の概要】
【発明が解決しようとする課題】
【０００３】
本発明は、ＡＣモータの効率を画期的に向上できる新しく画期的な技術を提案する。
【課題を解決するための手段】
【０００４】
本発明は、誘導分極ＡＣモータのＳＴＡＴＯＲを構成するにあたって、ケイ素鋼板を積層したコアに２ｎ個のＷｉｎｄｉｎｇ  Ｓｌｏｔを構成し、各Ｗｉｎｄｉｎｇ  Ｓｌｏｔの中間に２ｎ個の誘導分極スリット（Ｉｎｄｕｃｅｄ  Ｐｏｌａｒｉｚａｔｉｏｎ  Ｓｌｉｔ；Ｈｏｒｓｅ−Ｓｈｏｅ  Ｍａｇｎｅｔ  Ｐｏｌａｒｉｚａｔｉｏｎ  Ｓｌｉｔ）を構成して、２ｎ個のＷｉｎｄｉｎｇ  Ｓｌｏｔのうちｎ個のＳｌｏｔにのみ分布巻線（Ｄｉｓｔｒｉｂｕｔｅｄ  Ｗｉｎｄｉｎｇ）して固定子を構成し、ＳＴＡＴＯＲに通電（Ｉｎ−ｐｕｔ）すると、Ｗｉｎｄｉｎｇ  Ｓｌｏｔの両方の界磁面は誘導分極され、起磁力（Ｍａｇｎｅｔｏｍｏｔｉｖｅ  Ｆｏｒｃｅ）を倍加（ｄｏｕｂｌｉｎｇ）させて、ＲＯＴＯＲは起動・回転することとなり、回転方向は、Ｆｌｅｍｉｎｇ  Ｌｅｆｔ  Ｈａｎｄ  Ｒｕｌｅによって決定されるように構成されることを特徴とする。
【発明の効果】
【０００５】
本発明の誘導分極ＡＣモータは、下記のような効果がある。
１．本発明モータは、熱、騒音、振動がない。
２．本発明モータは、Ｅｄｄｙ  Ｃｕｒｒｅｎｔ  Ｌｏｓｓがない。
３．本発明モータは、既存のＡＣモータの銅線量を５０％節減する。
４．本発明モータは、起磁力を倍加（ｄｏｕｂｌｉｎｇ）させ、効率は約２００％に達する。
５．本発明モータは、Ｈａｒｍｏｎｉｃｓがない。
６．本発明モータは、風損（Ｗｉｎｄａｇｅ  Ｌｏｓｓ）がない。
【図面の簡単な説明】
【０００６】
【図１】本発明のＳＴＡＴＯＲを示した図。
【図２】本発明のＷｉｎｄｉｎｇ  ＳｌｏｔとＩｎｄｕｃｅｄ  Ｐｏｌａｒｉｚａｔｉｏｎ  Ｓｌｉｔを示した図。
【発明を実施するための形態】
【０００７】
本発明は、誘導分極ＡＣモータのＳＴＡＴＯＲを構成するにあたって、ケイ素鋼板を積層したコアに２ｎ個のＷｉｎｄｉｎｇ  Ｓｌｏｔを構成し、各Ｗｉｎｄｉｎｇ  Ｓｌｏｔの中間に２ｎ個の誘導分極スリット（Ｉｎｄｕｃｅｄ  Ｐｏｌａｒｉｚａｔｉｏｎ  Ｓｌｉｔ；Ｈｏｒｓｅ−Ｓｈｏｅ  Ｍａｇｎｅｔ  Ｐｏｌａｒｉｚａｔｉｏｎ  Ｓｌｉｔ）を構成して、２ｎ個のＷｉｎｄｉｎｇ  Ｓｌｏｔのうちｎ個のＳｌｏｔにのみ分布巻線（Ｄｉｓｔｒｉｂｕｔｅｄ  Ｗｉｎｄｉｎｇ）して固定子を構成し、ＳＴＡＴＯＲに通電（Ｉｎ−ｐｕｔ）すると、Ｗｉｎｄｉｎｇ  Ｓｌｏｔの両方の界磁面は誘導分極され、起磁力（Ｍａｇｎｅｔｏｍｏｔｉｖｅ  Ｆｏｒｃｅ）を倍加（ｄｏｕｂｌｉｎｇ）させて、ＲＯＴＯＲは起動・回転することとなり、回転方向は、Ｆｌｅｍｉｎｇ  Ｌｅｆｔ  Ｈａｎｄ  Ｒｕｌｅによって決定されるように構成される。
【図１】
2018504878.tif 000003
【図２】
2018504878.tif 000004
【国際調査報告】
2018504878.tif 000005
2018504878.tif 000006
2018504878.tif 000007
2018504878.tif 000008
(57)【要約】      （修正有）【課題】内燃機関の燃焼熱の効率を上げる事、蒸気機関としても働く超臨界水利用の内燃機関を提供する。【解決手段】内燃機関のシリンダー２の上部、ピストン１の上部に断熱材を使用して、シリンダーの断熱材の下部に、熱伝導の良い金属に隙間を有する金属を設置し、その金属を高温に熱し、その金属の隙間に高圧ポンプ４ｂで水を送り込み、この隙間を通過させることで、水の温度が上昇し、超臨界水を生成させ、内燃機関の燃焼中に超臨界水送り出す。超臨界水の酸化力を利用し、内燃機関の完全燃焼を助ける。ピストンの移動により、内燃機関内の圧力が下がると、超臨界水が水蒸気になり、蒸気機関としても働く内燃機関である。【選択図】図１
0003158608.tif 000002
【実用新案登録請求の範囲】
【請求項１】
内燃機関のシリンダーの上部、ピストンの上部に断熱材を設置し、シリンダーの断熱材の下部に、熱伝導の良い金属に隙間を有する金属を設置し、金属が高温に熱せられる、その金属の隙間に高圧ポンプで水を送り込むことで、この隙間を通過することで、水の温度が上昇し、超臨界水を作出せる、内燃機関の燃焼中に超臨界水送り出す、内燃機関の燃焼を超臨界水の酸化力を利用し、完全燃焼をたすける、ピストンの移動により、内燃機関内の圧力が下がると、超臨界水が水蒸気になり、蒸気機関として働く、超臨界水利用の超臨界水内燃機関。
【考案の詳細な説明】
【技術分野】
【０００１】
本考案は内燃機関の利用方法に関する。
【背景技術】
【０００２】
内燃機関の効率に問題があった。
【考案の開示】
【考案が解決しようとする課題】
【０００３】
内燃機関の燃焼熱を無駄にせず、燃焼熱を効率良く利用する事を解決しようとすることを課題とする。
【課題を解決するための手段】
【０００４】
本考案はシリンダーの上部、ピストンの上部に断熱材を設置し、内燃機関の燃焼熱を利用し、熱伝導の良い金属に隙間を設置し、その隙間にポンプで水を送り込むことで、隙間を通過することで、水の温度が上昇し、超臨界水を作り、内燃機関の燃焼を超臨界水の酸化力を利用し、完全燃焼をたすける、内燃機関内の圧力が下がると、超臨界水が水蒸気になり、蒸気機関として働く内燃機関である。
【考案の効果】
【０００５】
内燃機関の燃焼を超臨界水の酸化力を利用し、完全燃焼をたすけ、内燃機関内の圧力が下がると、超臨界水が水蒸気になり、蒸気機関として働くことで、内燃機関の効率に効果があった。
【考案を実施するための最良の形態】
【０００６】
上述の様に、シリンダーの上部、ピストンの上部に断熱材を設置し、内燃機関の燃焼熱を利用し、熱伝導の良い金属に隙間を設置し、その隙間にポンプで水を送り込むことで、隙間を通過することで、水の温度が上昇し、超臨界水を作り、内燃機関の燃焼を超臨界水の酸化力を利用し、完全燃焼をたすける、内燃機関内の圧力が下がると、超臨界水が水蒸気になり、蒸気機関として働く内燃機関である。
【実施例】
【０００７】
以下、添付図面に従って一実施例を説明する、１はピストンで本体、１ａはピストンの上部にセラミツック断熱等適宣素材で熱が外部に出ないこと、ピストンの下部に熱が伝達を防ぐため、１ｂは一般に使用されているピストンリング、２はシリンダー、２aはシリンダーの上部にセラミツック断熱等適宣素材で熱が外部に出ないこと、４は超臨界水を作る具の温度を高温度に保つためのものであり、３は排気弁である。
【０００８】
４は給水用パイプ、４aは本考案の超臨界水排出口、４ｂは給水用高圧ポンプ、４ｃは水を超臨界水にする為の隙間であり、高圧ポンプ４ｂを使用してこの隙間を通過させることで水を超臨界水として超臨界水排出口４ａから排出させる。５は燃料用パイプ、５aは燃料用噴射口、５ｂは燃料用ポンプ、６は燃料点火装置、７は吸気バルプである。
【図面の簡単な説明】
【０００９】
【図１】本考案の内燃機関の一部切欠断正面図
【図２】本内燃機関の上面図
【符号の説明】
【００１０】
１    ピストン
２    シリンダー
３    排気バルプ
４    給水パイプ
５    燃料パイプ
６    燃料点火装置
７    吸気バルプ
【図１】
0003158608.tif 000003
【図２】
0003158608.tif 000004
(57)【要約】      （修正有）【課題】組付け取外しが容易で、小型化しやすい逆止弁アセンブリを提供する。【解決手段】吐出側と吸込側両方の逆止弁を一体化して組込み、さらに配管取付口、ポンプ全体を固定するためのフランジも一体化して有する。【選択図】図１
0003158689.tif 000002
【実用新案登録請求の範囲】
【請求項１】
吸込側逆止弁、吐出側逆止弁、吸込側配管取付口、吐出側配管取付口、ポンプ取付用フランジを一体化して有する逆止弁アセンブリ。
【請求項２】
請求項１の逆止弁アセンブリを用いた手押しポンプ。
【考案の詳細な説明】
【技術分野】
【０００１】  本考案は液体を汲上げる時などに使われる手押ポンプに用いられる逆止弁に関するものである。
【背景技術】
【０００２】  一般にピストン型手押ポンプにおいては吸込側と吐出側に逆止弁を各１個要するが、それぞれを吸込管路と吐出管路に設けなければならず、シリンダー底部の加工の他にシリンダー側壁の穿孔などの加工が必要となる。
【考案の開示】
【考案が解決しようとする課題】
【０００３】  吐出側逆止弁はポンプシリンダーの側壁を穿孔して取付けなければならず、やっかいな加工を伴う。またシリンダー外に取付けられた逆止弁はポンプの本体から突出し、ポンプ取付時に支障になることも多い。
【課題を解決するための手段】
【０００４】  吸込側と吐出側の逆止弁を一体化して組込み、合わせて配管取付口、ポンプ全体を液体が入っている容器の蓋などに取付けるためのフランジを有する逆止弁アセンブリを作る。
【考案の効果】
【０００５】  吸込側、吐出側の配管は逆止弁アセンブリに設けられたそれぞれの取付口に取付ければ良くシリンダー側壁の穿孔は不要になる。【０００６】  逆止弁アセンブリのみで配管と容器への取付けが完結するので、シリンダーには配管が不要になり組付け取外しが容易になる。また、小型化がしやすくなる。
【考案を実施するための最良の形態】
【０００７】  取付用フランジを兼ねたブロックの中に吐出側管路と逆止弁を設ける。ブロックの上側にはシリンダーが、下側には吸込側逆止弁を有する弁室を連接できるよう円筒部を設けネジを切っておく。吸込側弁室とシリンダー内ピストン室が連通するようブロック内に管路を設ける。
【実施例】
【０００８】  以下、添付図面に従って実施例を説明する。吐出弁ブロック１には吐出側逆止弁２、吐出配管取付口４、フランジ部取付穴１０を設けてある。また上部にはシリンダー取付ネジ１６、下部には吸込側弁体取付ネジ１７を設けてある。吸込側弁体取付ネジ１７に吸込側弁体６を取付けることにより逆止弁アセンブリが構成される。【０００９】  吐出弁ブロック１のシリンダー取付ネジ１６にシリンダー１１を組付けることによりポンプとその管路が構成されることになる。吐出弁ブロック１のフランジ部取付穴１０を通して容器蓋１９にネジ止めすることによりポンプ全体が容器蓋１９に固定される。【００１０】  このような状態でピストン１２を上に引くとピストン室１３の容積は増大し液体容器１８内の液体は吸込側弁室７、連通管路５、を経てピストン室１３に流入する。次にピストン１２を押下げるとピストン室１３内の液体は連通管路５、吐出側弁室８を経て吐出配管１４に流出する。【００１１】  吐出配管１４、吸込配管１５は任意の形状のものをそれぞれの取付口４、９に取付ければ良く、またシリンダー１１、ピストン１２で構成されるポンプ部と配管を含む逆止弁アセンブリの接合はシリンダー取付ネジ１６一ヶ所のみで済む。
【図面の簡単な説明】
【００１２】
【図１】  逆止弁アセンブリの構造を示す断面図とそれに接合するポンプ部、配管、液体容器の概念図
【符号の説明】
【００１３】  １    吐出弁ブロック
２    吐出側逆止弁
３    吐出管路
４    吐出配管取付口
５    連通管路
６    吸込側弁体
７    吸込側弁室
８    吐出側弁室
９    吸込配管取付口
１０    フランジ部取付穴
１１    シリンダー
１２    ピストン
１３    ピストン室
１４    吐出配管
１５    吸込配管
１６    シリンダー取付ネジ
１７    吸込側弁体取付ネジ
１８    液体容器
１９    蓋
【図１】
0003158689.tif 000003
(57)【要約】      （修正有）【課題】使いやすく衛生的で安全な洗浄用のスポンジを提供する。【解決手段】スポンジ本体２に硬質スポンジ３を埋め込み表面に不繊布１を貼り付ける。【選択図】図１
0003158690.tif 000002
【実用新案登録請求の範囲】
【請求項１】
スポンジ本体に核となる硬質スポンジを内蔵したスポンジ。
【考案の詳細な説明】
【技術分野】
【０００１】本考案は、スポンジ本体に核となる硬質スポンジを内蔵したスポンジである。
【背景技術】
【０００２】従来のスポンジはスポンジの表面に不繊布が貼り付けたものであるが、全体が柔らかくつぶれやすい為、グラス等を洗うときに奥まで届きにくかった。したがってグラス等の底面に汚れが残り不衛生の場合があった。また無理に力をこめて洗うためグラス等の縁で手を怪我することがあった。
【考案が解決しようとする課題】
【０００３】本考案は、その欠点を除いて、使いやすく衛生的で怪我の無い安全な洗浄用具を開発しようとするものである。
【課題を解決するための手段】
【０００４】今その解決手段を図面に追いながら説明すれば、スポンジ本体（２）の中央部分に立体的な硬質スポンジ（３）を埋め込み接着剤で固定する。
【考案の効果】
【０００５】グラス等を洗うときスポンジの本体に核となる硬質スポンジが内蔵されているので、グラス等の底面までスポンジが届き奥までしっかりと汚れを落とせて衛生的である。
したがって無理に力をこめることなく洗えるのでグラス等の縁の部分で手を怪我することを防止できる。
【図面の簡単な説明】
【０００６】
【図１】本考案の斜視図
【考案を実施するための形態】
【０００７】本考案は、核となる硬質スポンジを内臓した構造であるから、核の部分に指先の力をこめて使用する。
【符号の説明】
【０００８】１は不繊布、２はスポンジ本体、３は硬質スポンジ。
【図１】
0003158690.tif 000003
(57)【要約】【課題】製作コスト及び輸送コストが低減でき、また、設置スペースの確保が容易であり、組立、解体作業の迅速化を図ることができ、また、ステージレイアウトの高い自由度が得られ多様な作業形態に対応できる組立式作業用台船を提供する。【解決手段】同寸法の４個の平面視長方形フロート１ａを平面視矩形状に組み合わせ連結してステージ１を構成し、その中央部に開口部１ｂを設ける。フロート１ａの縦横の比率を変えることで開口寸法を拡大又は縮小させる。尚、フロート１ａ同士の連結は、互いに連結鍔等を設け、これをボルト・ナット留めしたりする公知の方法で行う。【選択図】  図１
0003158634.tif 000002
【実用新案登録請求の範囲】
【請求項１】
少なくとも同寸法の４個の平面視長方形フロートを平面視矩形状に組み合わせ、その中央部に開口を設けることを特徴とする組立式作業用台船構造。
【請求項２】
フロートの縦横の比率を変えることで開口寸法を変化させることを特徴とする請求項１記載の組立式作業用台船構造。
【考案の詳細な説明】
【技術分野】
【０００１】
本考案は、河川や湖沼に浮かべ、水質調査や構造物の構築作業を行うために使用される作業用台船に関し、とくに現場組立式の作業用台船に関するものである。
【背景技術】
【０００２】
河川や湖沼の水質調査を行ったり、護岸工事やダム工事において構造物を構築する際、作業用台船を水面に浮かべ、この台船に検査機器であるとかクレーン等を載積して水上での作業を行っている。従来、この作業用台船は、クレーン等の重機を搭載するために大面積の一体型が多く、陸送が困難であり、また、設置スペースの確保も困難であった。
【０００３】
そこで、浮体ユニットを、その使用条件に応じて必要な個数連結して台船を組立てるようにしたものが提案されている（特許文献１参照）。
【先行技術文献】
【特許文献】
【０００４】
【特許文献１】特許第３６１２２６７号公報
【特許文献２】特許第２８４６６５２号公報
【特許文献３】特開２０００−９２６４１号公報
【考案の概要】
【考案が解決しようとする課題】
【０００５】
ところで、同種の作業用台船の中には、捨石等により水底にマウンドを構築する際に用いられる作業用台船であるとか（特許文献２参照。）、水底ケーブルを敷設するために使用される台船があり（特許文献３参照。）、捨石投入用のシュートを取り付けるための開口やケーブル投入用の開口部が必須の構成となる。従来、これら開口部の形成は、台船用の浮体プレート１（以下、ステージ１と言う）に開口部１ｂを直接穿つ（図４（ａ）参照。）か又は予め所望する開口部１ｂの半分の切り欠き１ｂ’を端部に形成した一対のステージ１Ａを用い、これらを突き合わせて連結することで開口部１ｂを構成する方法（図４（ｂ）参照。）、寸法の違う二対のステージ１Ｂ及び１Ｃを連結する方法（図４（ｃ）参照。）が採られていた。しかしながら、このような穿孔作業や切欠き作業は設計・製作において多大な労力を要し、不経済であるばかりでなく、取り扱いも不便である。本考案は、上記のような課題に鑑み、製作コスト及び輸送コストが低減でき、また、設置スペースの確保が容易であり、組立、解体作業の迅速化を図ることができ、また、ステージレイアウトの高い自由度が得られ多様な作業形態に対応できる組立式作業用台船を提供することを目的とする。
【課題を解決するための手段】
【０００６】
このため、本考案の組立式作業用台船は、少なくとも同寸法の４個の平面視長方形フロートを平面視矩形状に組み合わせ、その中央部に開口を設けることを第１の特徴とし、フロートの縦横の比率を変えることで開口寸法を変化させることを第２の特徴とする。
【考案の効果】
【０００７】
本考案によれば、以下の優れた効果を奏す。
（１）台船ステージの穿孔作業や切欠き作業が削減され、経済的に施工できる。
（２）同寸法のフロートを組み合わせるだけで済むので、迅速に連結作業ができる。
（３）使用条件、積載荷重に応じて、必要なスペースの作業用ステージが簡便に構築できる。
（４）輸送コストの低減、また、搬入、搬出時のスペースの確保が容易である。
【図面の簡単な説明】
【０００８】
【図１】本考案に係る作業用台船のステージを模式的に示す平面図である。
【図２】本考案に係る作業用台船の一実施例を示す正面図である。
【図３】図２の平面図である。
【図４】従来技術を模式的に示す平面図である。
【考案を実施するための形態】
【実施例】
【０００９】
図１は本考案に係る組立式作業用台船のステージを模式的に示す平面図で、同寸法の４個の中空且つ平面視長方形フロート１ａを平面視矩形状に組み合わせ連結してステージ１を構成し、その中央部に開口部１ｂが設けられる。そして、図１（ｂ）に示すように、フロート１ａの縦横の比率を変えることで開口寸法を拡大又は縮小させることができることが分かる。尚、フロート１ａ同士の連結は、互いに連結鍔等（図示せず）を設け、これをボルト・ナット留めしたりする公知の方法で行なわれる。また、フロート１ａは実際には直方体となる。
【００１０】
次に本考案の構造を水質調査用台船に適用した場合について説明する。
図２乃至図３に示すように、本実施例の水質検査装置は、例えばダム湖の陸地から遠く離間した場所の水質を測定する装置であって、水質測定用のセンサーボックス２は、被水質測定貯水域Ｗに浮上させた台船１上に設置された昇降装置（ウインチ）３により水深方向へ昇降可能にされたケーブル内蔵ワイヤー（アーマードケーブル）４に懸下されている。尚、図中、５は制御盤、６は点検口である。
【００１１】
台船（ステージ）１は無人の作業船であって、基本的に、平面視長方形状のフロート１ａを平面視矩形状に組み合わせて構成されている。換言すれば分割可能な組立式の台船である。本実施例では、縦横の比が２対１となる直方体状の４つの箱型フロート１ａを平面視矩形状（本実施例では正方形）に組み合わせることで、その中央部分に自ずと開口部１ｂが形成される。台船１の中央部からはセンサーボックス２がケーブル内蔵ワイヤー４に接続されると共に、吊下げられる。この場合、台船１の中央開口部１ｂはケーブル内蔵ワイヤー４の投入区画水域面ＷＳを囲撓可能なケーブル挿通用開口（水質検査口）となる。尚、直方体状の４つの箱型フロート１ａの縦横の比率は任意であるが、これを変えることで、開口部１ｂの開口寸法を所望する寸法に変えることができ、フロート１ａを切り欠く等、特段の加工を要しない点で利便性が高い。
【符号の説明】
【００１２】
１    台船（ステージ）
１ａ  箱型フロート（平面視長方形フロート）
１ｂ  ステージの開口部（水質検査口）
１Ａ  ステージ
１Ｂ  ステージ
１Ｃ  ステージ
２    センサーボックス
３    昇降装置（ウインチ）
４    ケーブル内蔵ワイヤー（アーマードケーブル）
５    制御盤
６    点検口
Ｗ    貯水域
ＷＳ  水面（湖面）
【図１】
0003158634.tif 000003
【図２】
0003158634.tif 000004
【図３】
0003158634.tif 000005
【図４】
0003158634.tif 000006
(57)【要約】      （修正有）【課題】街中での防犯パトロールを誰もが、容易に且つ安全で効果的に行える青色パトライト付防犯塔を提供する。【解決手段】青色パトライトを頂部に装着した防犯塔を人力運搬車に搭載した装置とした。防犯塔に「防犯パトロール」「地域名」などを表現できる行燈部を設け、青色パトライトと組み合わせ、防犯パトロールしている実態が夜間遠くからでも良く見えて防犯効果の向上が図れる。防犯塔の青色パトライトと行燈部ライトの電源（バッテリー）は人力運搬車に搭載、防犯塔付近に配置した。また、防犯塔の青色パトライトと行燈部ライトにはＬＥＤを使用し、バッテリーの充電頻度を下げた。【選択図】図１
0003158642.tif 000002
【実用新案登録請求の範囲】
【請求項１】
頂部に青色パトライトを装着した防犯塔を人力運搬車に搭載した、人力運搬車搭載青色パトライト付防犯塔
【請求項２】
防犯塔（青色パトライトと行燈部ライト）の電源は人力運搬車上に配置したバッテリーより給電する
【考案の詳細な説明】
【技術分野】
【０００１】  本考案は防犯パトロール活動を効果的に行うため、青色パトライトを応用した装置である。
【背景技術】
【０００２】  従来は防犯パトロール活動に供するために自動車に青色パトライトを装着して、その青色光線（回転または非回転）で警戒させ、不審者を排除することを狙いとしている。
電源は自動車のシガーライター経由でバッテリーに接続している。
なお青色パトライトの青色光は防犯色光とされている。
【考案の概要】
【考案が解決しようとする課題】
【０００３】１）  青色パトライトを装着している自動車の防犯パトロールは広範囲で道路幅がある程度広い地域には適しているが、民家が密集し道路幅の狭い街中には適さない。
これを解消すべく、道路幅が狭く、複雑な街中でも容易に使用可能にする。
２）  青色パトライトが遠くからでも目立ち、青色パトライトを装着する塔構造物も含め防犯効果がより期待できるようにする。
３）  自動車を活用の従来方式は初期費用、維持費用が嵩む。
これを解消すべく、簡便で総費用が安価となる装置にする。
【課題を解決するための手段】
【０００４】１）  適度な高さを確保した構造物の頂部に青色パトライトを装着する。その構造物には「防犯パトロール」など防犯表現した文字または絵が行燈のように内部から照らし出される工夫をする（以下この青色パトライト装着の構造物を防犯塔と云う）。
２）  防犯塔を人力運搬車に搭載し、ひとつの装置にする（以下、本考案と云う）。人力運搬車とはリヤカー、車椅子のように物、人を運ぶ人力車および防犯塔を搭載するために製作された人力車をさす。
３）  本考案の防犯塔の青色パトライトおよび行燈部ライトはＬＥＤを採用し、電源は人力運搬車上にバッテリーを配置し給電する。
【考案の効果】
【０００５】１）  本考案は、防犯塔頂部に装着された青色パトライトの青色光線と防犯塔行燈部に表現した「防犯パトロール」、「地域を表す町内会名」などを照らし出し、地域ぐるみの目立った防犯パトロールができる。
その結果、不審者を排除し、地域住民には防犯に関して注意を喚起することができる。
２）  本考案は街中の道路幅が狭い路地、駐車禁止および自動車通行規制地域でも、くまなく巡回が可能となり、きめ細かい防犯パトロールができる。
３）  人力運搬車を活用する本考案は初期費用および維持費用が安くなり、地域の防犯活動に導入し易くなる。
【図面の簡単な説明】
【０００６】
【図１】本考案外形図である  （人力運搬車としてリヤカーを採用し防犯塔を搭載した図）
【図２】本考案の電気配線要領図である
【考案を実施するための形態】
【０００７】  本考案は人力運搬車に青色パトライトを装着した防犯塔を搭載し、防犯塔の青色パトライトと行燈部ライトの電源は防犯塔脚部付近にバッテリーを配置する。
防犯塔の青色パトライト青色光線で不審者に威圧感を与え、行燈部に表現された「防犯パトロール」「地域表示」などで、地域ぐるみで防犯パトロールをしていることを知らせる。
当該地域より不審者の排除を図ると共に地域住民には戸締りなど防犯に関する注意を喚起させる。
【実施例】
【０００８】  防犯塔の頂部に青色パトライトを装着し、リヤカーに搭載した本考案の一例
［図１］である。
リヤカー車間幅は６０ｃｍ程で回転・走行・速度などの操作性が簡単にでき、防犯塔とリヤカーの脱着を容易な構造にした。
防犯塔青色パトライトと行燈部ライトにはＬＥＤを採用し、バッテリー電源で点灯させる。
防犯塔とバッテリー間の電気系はコードソケットとプラグで接続・切り離しが出来、コードスイッチで青色パトライトと行燈ライトの照明選択ができる。
【符号の説明】
【０００９】１．防犯塔青色パトライト      ２．防犯塔行燈部      ３．リヤカー
４．防犯塔締結板（リヤカーとの脱着部）
５．防犯塔行燈部ライト                ６．バッテリー
７．防犯塔青色パトライト用コード      ８．防犯塔行燈部ライト用コード
９．コードスイッチ（防犯塔青色パトライト用）
１０．コードスイッチ（防犯塔行燈部ライト用）
１１．コードプラグ          １２．コードソケット
１３．防犯塔の上板（青色パトライトと行燈部ライトの固定部）
【図１】
0003158642.tif 000003
【図２】
0003158642.tif 000004
【手続補正書】
【提出日】平成21年11月6日(2009.11.6)
【手続補正１】
【補正対象書類名】実用新案登録請求の範囲
【補正対象項目名】全文
【補正方法】変更
【補正の内容】
【実用新案登録請求の範囲】
【請求項１】
頂部に青色パトライト（登録商標）を装着した防犯塔を人力運搬車に搭載した人力運搬車搭載青色パトライト（登録商標）付防犯塔
【請求項２】
青色パトライト（登録商標）と防犯塔行燈部ライトの電源は、人力運搬車上に配置したバッテリーより給電する人力運搬車搭載青色パトライト（登録商標）付防犯塔
【手続補正書】
【提出日】平成22年1月18日(2010.1.18)
【手続補正１】
【補正対象書類名】実用新案登録請求の範囲
【補正対象項目名】全文
【補正方法】変更
【補正の内容】
【実用新案登録請求の範囲】
【請求項１】
頂部に青色パトライト（登録商標）を装着した防犯塔を人力運搬車に搭載したことを特徴とする人力運搬車搭載青色パトライト（登録商標）付防犯塔
【請求項２】
青色パトライト（登録商標）と防犯塔行燈部ライトの電源は、人力運搬車上に配置したバッテリーより給電することを特徴とする請求項１に記載の人力運搬車搭載青色パトライト（登録商標）付防犯塔
(57)【要約】      （修正有）【課題】量りを利用して、線状の乾麺類を容易かつ正確に計量でき、かつそのまま一本残らず鍋等に移動させることができる乾麺類の計量補助器具を提供する。【解決手段】計量補助器具は、本体１がゴム製であり、薄い板状で、表面２の中央が円柱状にくぼんでおり、裏面３は平らであり、線状の乾麺類を安定して載せることができ、板が高くなっている部分の外側には取っ手４、取っ手５が付いており、ゴムは柔らかく容易に曲がり、乾麺類を容易にくるむことができる形態を備える。【選択図】図１
0003158649.tif 000002
【実用新案登録請求の範囲】
【請求項１】
本考案の計量補助器具は、本体（１）がゴム製であり、薄い板状で、表面（２）の中央が円柱状にくぼんでおり、裏面（３）は平らであり、線状の乾麺類（６）を安定して載せることができ、板が高くなっている部分の外側には取っ手（小）（４）、取っ手（大）（５）が付いており、ゴムは柔らかく容易に曲がり、乾麺類（６）を容易にくるむことができる形態を備えることを特徴とする計量補助器具構造。
【考案の詳細な説明】
【技術分野】
【０００１】  本考案は線状の乾麺類の計量方法及び移し替え作業に関し、簡便かつ清潔な方法を提供する器具に係わる。
【背景技術】
【０００２】  従来から、乾麺類の計量法には、１）容器に乾麺を入れて、容器に空いた穴を通して乾麺を出すことで計量するもの、２）穴を空けた板に乾麺を通して計量するもの、３）Ｖ字型の器具に乾麺を挟み込んで計量するものなどがある。【０００３】  例えば、計量部と擦り切り部に分けた容器を用い、乾麺を計量する容器が考案されている。（特許文献１）
【先行技術文献】
【特許文献１】特許公開２００９−２０８８１４
【考案の概要】
【考案が解決しようとする課題】
【０００４】  しかしながら、１）から３）及び特許文献１のいずれも、目分量に頼った計量法であり、正確な計量ができているか判断しづらい。かといって、市販の量りに直接乾麺を載せて量ろうとすると、麺が転がってしまい、やりづらい。【０００５】  また、特にパスタなどは、市販の袋に「１人前１００ｇ」などと記載されているものが多く、ｇ数を量れない計量法では、ストレスがたまる。【０００６】  本考案は、市販の量りとゴム製の計量補助器具を組み合わせて用いることで、乾麺類の正確な計量を可能とし、かつ計量した乾麺をそのまま一本残らず速やかに鍋等に移し替えるものである。本考案は、このゴム製補助器具を提供することを目的とする。【０００７】  本考案によれば、計量補助器具に載せるものは乾麺であり、この簡便なゴム器具を用いるだけで、市販の量りを利用した乾麺の正確な計量が可能になり、また、そのまま鍋等に乾麺を移動でき、器具は基本的に掃除もいらず、量り等も汚すこともない。
【課題を解決するための手段】
【０００８】  本考案の乾麺類の計量補助器具は、ゴム製の計量補助器具である。この計量補助器具のゴムは、容易に曲げられる柔軟性を備える。
【考案の効果】
【０００９】  本考案の乾麺の計量補助器具によれば、市販の量りを利用して、乾麺を容易に正確に計量することができ、かつばらつきやすい乾麺を容易に鍋等に移動させることができ、従来の計量法に漠然とした不満を感じている人々に資することができる。
【考案を実施するための形態】
【００１０】  以下、本考案の乾麺の計量補助器具をその実施の最良の形態について図面に示す実施例に基づいて具体的に説明する。
【００１１】  図１は本考案の実施例を示すものであり、本体１は柔らかいゴム製である。表面２は円柱状にくぼんでいる。裏面３は市販の量りに設置する位置である。取っ手（小）４、取っ手（大）５は、５の方が大きい。
【００１２】  以下にこの計量補助器具を使用して乾麺を計量する方法を説明するが、本考案を実施するにあたり、この説明・手順に限定されるものではない。
【００１３】  本実施例では、本体１を市販の量りに載せる。裏面３を下にする。市販の量りの機能を用い、本体１を載せたまま目盛りを０ｇに戻す。表面２に乾麺類６を載せ、計量する。表面２はくぼんでいるので、乾麺類６がこぼれることはない。計量が終了したら、乾麺類６を載せたまま取っ手（小）４、取っ手（大）５を指で持ち、本体１の表面２で乾麺類６をくるんで、そのまま本体１ごと持ち上げる。そのまま鍋等の上まで持って行き、取っ手（大）５のみをつまんで乾麺類６を解放、鍋等に移す。
【図面の簡単な説明】
【００１４】
【図１】（ａ）、（ｂ）はそれぞれ本願考案に使用する乾麺類の計量補助器具の正面、背面斜視図である。
【図２】（ｃ）、（ｄ）はそれぞれ本願考案に使用する乾麺類の計量補助器具を上から見た図、側面（取っ手のない側）から見た図である。
【図３】本願考案における乾麺類を計量補助器具本体でくるんだときのイメージ図である。
【符号の説明】１・・・・・・・乾麺類の計量補助器具本体
２・・・・・・・表面
３・・・・・・・裏面
４・・・・・・・取っ手（小）
５・・・・・・・取っ手（大）
６・・・・・・・乾麺類
【図１】
0003158649.tif 000003
【図２】
0003158649.tif 000004
【図３】
0003158649.tif 000005
【手続補正書】
【提出日】平成22年1月18日(2010.1.18)
【手続補正１】
【補正対象書類名】実用新案登録請求の範囲
【補正対象項目名】請求項１
【補正方法】変更
【補正の内容】
【請求項１】
本考案の計量補助器具は、本体（１）がゴム製であり、薄い板状で、表面（２）の中央が円柱状にくぼんでおり、裏面（３）は平らであり、線状の乾麺類（６）を安定して載せることができ、板が高くなっている部分の外側には取っ手（４）、取っ手（５）が付いており、ゴムは柔らかく容易に曲がり、乾麺類（６）を容易にくるむことができる形態を備えることを特徴とする計量補助器具構造。
(57)【要約】      （修正有）【課題】打ち出そうとした方向に正しくパットすることが容易なゴルフボールを提供する。【解決手段】ゴルフボール１に、ボールの大円上（球状の中心を通る円）に線２をマーキングし、その大円に平行で対称な２つの円上ごとに２つの線３・４をマーキングする。【選択図】図１
0003158647.tif 000002
【実用新案登録請求の範囲】
【請求項１】
ボールの大円上に線（２）をマーキングし、その大円に平行で対称な２つの円上に線（３と４）がマーキングされたゴルフボール。
【請求項２】
「請求項１」より大円上の線を除いた２つの線（３と４）がマーキングされたゴルフボール。
【請求項３】
「請求項１」より大円上の線を除いた２つの線を境にとして、着色（７と８）されたゴルフボール。
【考案の詳細な説明】
【技術分野】
【０００１】  本考案はボールの表面にマーキングした線により、打ち出そうとした方向に正しくパットすることが容易としたゴルフボールに関するものである。
【考案の概要】
【考案が解決しようとする課題】
【０００２】  解決しようとする問題点はゴルフボールのパッティングにおいて、狙った方向に打ち出すとき、意としない方向に打ち出すことがある点である。本考案はこの問題点を解決しようとするボールを提供しようとするものである。
【課題を解決するための手段】
【０００３】  本考案はゴルフボールに、ボールの大円上（球状の中心を通る円）に線をマーキングし、その大円に平行で対称な２つの円上に２つの線をマーキングする。よって、大円とその平行で対称な円上にマーキングした２線で計３本の線のマーキングとなる。
この３本のマーキングされたボールを、パターにて大円上の線に対し直角にボールを打った時は３本の線はたて回転をしてパティグ者から線状に見える。
そのため、パティグ者はボールが転がった時に打ち出したい方向に正確に転がすよう意識して打ち出すようになる。本考案はこのマーキングを最も主要な特徴とする。
また同種の手段とし、上記のボールの大円上のマーキングを除いた２線をマーキングする。
また同種の手段とし、大円に平行で対称な２つの円を境にボールを着色する。
【考案の効果】
【０００４】  本考案のゴルフボールはボールを打ち出したい方向に大円上（球状の中心を通る円）の線のマーキングを合わせ、そのマーキングに直角にパターをセットする。打ち出すときは大円上の線に打ち出すとその他の２線のマーキングも打ち出した方向と同じ軌道で回転するため、打ち出したい方向と打ち出した方向とに差が生じた時、分かりやすい。
そのため、パッティング者はボールの回転の方向を狙った方向に、より正確に転がすように意識して打ち出しやすくなり、打ち出したい方向に打ち出す効果は大きい。
また、大円に平行で対称な円上に線をマーキングした２線のマーキングでも同じような効果は得られる。
また、大円に平行で対称な円を境として着色をしても同じような効果は得られる。
【図面の簡単な説明】
【０００５】
【図１】  ゴルフボールの表面の、大円上（球状の中心を通る円）とその大円に平行で対称な円上に、線をマーキングした３線を表した説明図である
【図２】  図１のボールと打ち出そうとしたときのパターと打ち出す方向を表した説明図である。
【図３】  図１の、大円に平行で対称な円上に、線をマーキングした２線を表した説明図である。
【図４】  図１の、大円に平行で対称な２つの円を境に着色したボールを表した説明図である。
【図５】  図１の、立面図である。
【考案を実施するための形態】
【０００６】  打ち出したい方向より性格に打ち出す目的で、ボールをパットして回転させたとき打ち出したい方向と打ち出した方向とに差が生じた場合、回転しているボールを見て認識しやすい様なマーキングを実現した。
【実施例】
【０００７】  実施例について図面を参照して説明する。第１図は、ゴルフボール１にボールの大円上（球状の中心を通る円）に線２をマーキングする。その大円に平行な円上に線３をマーキングし、大円に対し線３と対称な線４をマーキングする。
図２は、図１に示すゴルフボールを打ち出すときの例である。図２に示す大円上の線２をボールを打ち出したい方向６に合わせ、その大円上の線２に対し直角にパット５をセットし、打ち出すとボールは打ち出したい方向６に向かって転がる。そのとき打ち出した方向が打ち出したい方向と異なるとマーキング２・３・４はブレて見えて、異なったことが認識しやすくなる。そのため、パッティング者は打ち出した後のボールの回転方向を意識して打ち出そうとするので、より正確にボールを打ち出すようになる。
図３に示すものは、図１に示したもののうち線２のマーキングを除いたものを示す。
図４に示すものは、ボールの大円に平行で対象な２つの円を境に着色した７と８を示す。
【符号の説明】
【０００８】１・・・ゴルフボール
２・・・大円上（球状の中心を通る円）の線
３・・・大円に平行した円上の線
４・・・大円に対し線３と対称な線
５・・・パター
６・・・打ち出したい方向
７・・・着色された箇所
８・・・７と異なる色で着色された箇所
【図１】
0003158647.tif 000003
【図２】
0003158647.tif 000004
【図３】
0003158647.tif 000005
【図４】
0003158647.tif 000006
【図５】
0003158647.tif 000007
【手続補正書】
【提出日】平成22年1月20日(2010.1.20)
【手続補正１】
【補正対象書類名】実用新案登録請求の範囲
【補正対象項目名】全文
【補正方法】変更
【補正の内容】
【実用新案登録請求の範囲】
【請求項１】
ボールの大円上に線（２）をマーキングし、その大円に平行で対称な２つの円上に線（３、４）がマーキングされたゴルフボール。
【請求項２】
請求項１に記載のゴルフボールにおいて、前記大円上の線（２）を除いた２つの線（３、４）がマーキングされたゴルフボール。
【請求項３】
請求項１に記載のゴルフボールにおいて、大円上の線（２）を除いた２つの線（３、４）を境にとして、着色（７、８）されたゴルフボール。
(57)【要約】【課題】  磁石磁気を利用し人体の血流をよくし腰痛の予防・軽減に有し、ズボン、スカート等の衣服を通し磁気ベルトを提供する【解決手段】  天然皮革、合成樹脂皮革等の表面材と、この表面材の下部に位置すると共に複数の永久磁石粒子を収納する小孔を穿った柔軟性の中間芯材と、この中間芯材及び前記表面材と重ね合わせて三者一体となる裏面材とで成したことを特徴としたベルト。【選択図】図２
0003158907.tif 000002
【実用新案登録請求の範囲】
【請求項１】
天然皮革、合成樹脂皮革等の表面材と、この表面材の下部に位置すると共に複数の永久磁石粒子を収納する小孔を穿った柔軟性の中間芯材と、この中間芯材及び前記表面材と重ね合わせて三者一体となる裏面材とで成したことを特徴としたベルト。
【考案の詳細な説明】
【技術分野】
【０００１】
本考案は永久磁石により体内の血流を良くし、腰痛予防と共にコリを解消する、永久磁石を備えたベルトに関する
【背景技術】
【０００２】
従来より磁気ベルトは健康に優れた健康器具製品であることは周知の通りいくつか提供されている
【０００３】
例えばベルト本体に磁石をそのまま埋め込んだりして磁石が外部にむき出しになって提供されている
【考案の概要】
【考案が解決しようとする課題】
【０００４】
しかしこれらの磁気ベルトの永久磁石は裏面に露出している
【課題を解決するための手段】
【０００５】
上記従来のものではなく永久磁石を内部に埋め込み外部から見えなくなる構造でこの課題を解決する
【０００６】
これにより、ズボン、スカートの磁石による摩擦で布地にダメージを与えることなく課題を解決する
【考案の効果】
【０００７】
本考察によるベルトは上記の構成になっているネオジーム磁石（永久磁石）を腰のツボにあてることにより体内の血流を良くして、本来の健康体に期待できる。
【０００８】
本考察は永久磁石を内部に埋め込む為外部に露出しない構造で手や肌に触れることなく磁石アレルギーの方にも提供でき、衣服にもダメージを与えない優れたファッション性にあふれた健康によいファッションベルトである
【図面の簡単な説明】
【０００９】
【図１】磁気ベルトの全体図である
【図２】磁気ベルトの中央部を切断した斜視図である
【図３】磁気ベルトを分解した組立図である
【考案を実施するための形態】
【００１０】
以下本考案を実施例として掲げた図面に基づいて説明すると、図1はベルトの正面図であって、天然皮革、合成樹脂等にて夫々形成された表面材1及び中間芯材2並びに裏面材3を夫々重ね合せてベルト本体Hを構成している。
【００１１】
しかして、この中間芯材2には長手方向に向って複数の小孔4が一定間隔にて穿ってられており、この小孔4には、永久磁石粒子5が収納されている。
【００１２】
この永久磁石粒子5は表面材1と裏面材3にて外部に露呈しないのである。
【符号の説明】
【００１３】
H・・・ベルト本体
1・・・表面材
2・・・中間芯材
3・・・裏面材
4・・・小孔
5・・・永久磁石
【図１】
0003158907.tif 000003
【図２】
0003158907.tif 000004
【図３】
0003158907.tif 000005
(57)【要約】【課題】板材に機械加工を施すことなく、一切れずつに加工され、さらに板材から手で容易に剥がせる蒲鉾を提供する。【解決手段】蒲鉾２と、蒲鉾に接合した板材３とから成り、蒲鉾を切断して板材に至る１以上の切れ目４が入れられている板付き蒲鉾１において、蒲鉾の、板材との接合面５が低接着性面であることを特徴とする構成の板付き蒲鉾とした。【選択図】図１
0003158944.tif 000002
【実用新案登録請求の範囲】
【請求項１】
蒲鉾と、前記蒲鉾に接合した板材とから成り、前記蒲鉾を切断して前記板材に至る１以上の切れ目が入れられている板付き蒲鉾において、
前記蒲鉾の、前記板材との接合面が低接着性面であることを特徴とする板付き蒲鉾。
【請求項２】
前記板材が、木材、プラスチック、金属、及びセラミックからなる群から選択されるいずれかの材料で形成される、請求項１に記載の板付き蒲鉾。
【考案の詳細な説明】
【技術分野】
【０００１】
この発明は、板付き蒲鉾に関し、特に板材から蒲鉾を手で容易に剥がせる板付き蒲鉾に関する。
【背景技術】
【０００２】
従来の板付き蒲鉾の場合、蒲鉾を食する際には必ず包丁などの切断器具を用いて板から剥がす作業が必要である。これは、板の表面に凹凸が存在し、蒲鉾を製造する際に塩擂りした魚肉のすり身がその隙間に入り込み、その後の加熱によりタンパク質をゲル化させる工程において、板と蒲鉾との結合が強くなるためである。
このため、蒲鉾を食し易くするためにあらかじめ切れ目を入れておいたとしても、包丁などで板から剥がす作業を行なう必要がある。
【０００３】
すでに、板材に予め機械加工を施して板材から容易に剥がせるようにし、さらに一切れずつに加工された蒲鉾が知られている。（特開２００４−３２１０９１）
【考案の開示】
【考案が解決しようとする課題】
【０００４】
この考案は、板材に機械加工を施すことなく、一切れずつに加工され、さらに板材から手で容易に剥がせる蒲鉾を提供することを課題とする。
【課題を解決するための手段】
【０００５】
この考案では、蒲鉾と、蒲鉾に接合した板材とから成り、蒲鉾を切断して板材に至る１以上の切れ目が入れられている板付き蒲鉾において、蒲鉾の板材との接合面を低接着性面とすることにより、前記課題を解決した。
【考案の効果】
【０００６】
この考案の板付き蒲鉾は１以上の切れ目が入れられており、さらに蒲鉾の板材との接合面が低接着性面であるので、包丁などを用いなくても、蒲鉾を板材から一切れずつ手で容易に剥がすことができる。
【考案を実施するための形態】
【０００７】
図１に、この考案に係る板付き蒲鉾の一例を示す。
板付き蒲鉾１は、蒲鉾２と、蒲鉾２に接合した板材３とから成り、蒲鉾２を切断して板材３に至る１以上の切れ目４が入れられている。また、蒲鉾２の板材３との接合面５が、低接着性面となっている。
【０００８】
板材３は、木材、プラスチック、金属、及びセラミックからなる群から選択されるいずれかの材料で形成することができる。板材３の形状に特に制限は無く、意匠的効果等を考慮して様々な形状にすることができる。
木材には蒲鉾２の水分を調節し、保管中の品質劣化や微生物の増殖を抑制する働きがあることから、板材３の材料として好ましい。プラスチック、金属、及びセラミックは、木材と比較して蒲鉾２が付着しにくい。  
【０００９】
この考案は、魚のすり身を主体として製造される蒲鉾であれば、どのような蒲鉾にも適用することができる。すり身の原料となる魚の例は、グチ、エソ、スケソウダラ、ホッケ、ハモ、トビウオ、アジ、タチウオ、ヒラメ等であるが、これらに限定されない。
また、すり身に調味料や香辛料、あるいは魚肉フレークや海草等、さらにはカルシウムやDHA等が混合されていてもよい。
【００１０】
塩擂りしたすり身を所定の形状にして板材３に盛り付けた後、公知の方法で加熱処理してすり身中のタンパク質をゲル化させることにより、蒲鉾２と板材３から成る板付き蒲鉾１を製造する。
蒲鉾２の板材３との接合面５における低接着性面は、すり身を板材に盛り付けるとき、各種物理化学的方法により形成することができる。
【００１１】
蒲鉾２の切れ目４は、前記加熱処理により得られた板付き蒲鉾１を、切断具で切断することにより形成する。このとき、蒲鉾２を切断して板材３に至るまで切れ目４を形成する。蒲鉾２の切断は、加熱処理直後に行なうこともできるし、冷却後、凍結後、解凍後に行なうこともできる。
なお、切れ目４の例として図１には複数の平行な切れ目４を示した。しかし、切れ目４の形状はこれに限定されず、意匠的効果等を考慮して、例えば波型等、様々な形状にすることができる。
最後に、切れ目４が形成された板付き蒲鉾１を包装して、最終製品とする、
【００１２】
この考案の板付き蒲鉾には１以上の切れ目が入れられており、さらに蒲鉾の板材との接合面が低接着性面となっている。従って、蒲鉾を食するときに包丁などの切断器具が不要であるため、自宅や調理場に限らず、屋外や電車内など場所を問わずに適切な厚さの蒲鉾を一切れずつ食すことが出来る。
【００１３】
また、人間が切断する場合と比べて、機械を使った方が正確に特定の厚さに切断することが出来るので、生産者側が推奨する厚さに切り揃える事が出来る。
さらに、一切れずつの切断、板から蒲鉾を剥がすための切断工程が不要であるため、自宅用業務用に限らず食卓に適切なサイズの蒲鉾を迅速に提供することが可能である。
【図面の簡単な説明】
【００１４】
【図１】この発明の板付き蒲鉾の斜視図である。
【符号の説明】
【００１５】
１  板付き蒲鉾
２  蒲鉾
３  板材
４  切れ目
５  接合面
【図１】
0003158944.tif 000003